(57)【要約】【課題】強固なロックを維持しながら、従来のハンドルレバーを省略できるとともに、ロックおよびその解除の際の操作性を向上させることができる扉ロック装置およびこれを用いた自動販売機を提供する。【解決手段】販売機本体２に設けられたロック用フック１２と、メインドア３に、ロック位置とロック解除位置との間で上下方向に移動自在に設けられ、メインドア３が閉鎖される際に、ロック位置に押し上げられながらロック用フック１２に係止され、下方への移動が許容されたときに、自重によってロック解除位置に下降しながら係止が解除されるロック機構１３と、これを係止する閂ロック位置と、その係止を解除するとともにロック機構１３の下降を許容する閂ロック解除位置との間で移動自在に設けられた閂プレート４１と、これを閂ロック位置側に付勢するばね４２と、閂プレート４１を閂ロック解除位置に移動させるためのロック解除手段と、を備えている。【選択図】　　図１
2004068429.tif 000002
【特許請求の範囲】
【請求項１】
前面に開口を有する機器本体の左右の側部の一方の前端部に、上下方向に延びる軸線を中心に回動自在に取り付けられた扉体を、前記開口を閉鎖した状態でロックするための扉ロック装置であって、
前記機器本体の左右の側部の他方の前端部に設けられた係止部材と、
前記扉体の自由端部に、第１ロック位置とこの第１ロック位置よりも下方の第１ロック解除位置との間で上下方向に移動自在に設けられ、前記扉体が閉鎖される際に、前記係止部材に当接したときの当該係止部材からの反力によって前記第１ロック位置に押し上げられることにより、当該係止部材に係止され、下方への移動が許容されたときに、自重によって当該第１ロック解除位置に下降することにより、前記係止部材による係止が解除されるロック機構と、
このロック機構の付近に、当該ロック機構を係止する第２ロック位置と、当該係止を解除するとともに当該ロック機構の前記第１ロック解除位置への下降を許容する第２ロック解除位置との間で移動自在に設けられ、当該ロック機構が前記第１ロック位置に位置するときに、前記第２ロック位置への移動が許容されるロック機構係止部材と、
このロック機構係止部材を前記第２ロック位置側に付勢する付勢手段と、
前記ロック機構係止部材を前記第２ロック解除位置に移動させるためのロック解除手段と、
を備えていることを特徴とする扉ロック装置。
【請求項２】
前記係止部材は、その前端部から上方に突出する突出部を有し、
当該突出部の上面には、後ろ上がりに延びる傾斜面が形成されており、
前記ロック機構は、
前記第１ロック位置と前記第１ロック解除位置との間で上下方向にスライド自在に構成され、前記第１ロック位置において、前記第２ロック位置に移動した前記ロック機構係止部材によって係止されるとともに、当該ロック機構係止部材が前記第２ロック解除位置に移動したときに自重によって前記第１ロック解除位置に下降するスライドロック部材と、
このスライドロック部材よりも後方に突出した状態で、当該スライドロック部材に左右方向に延びる軸線を中心に回動自在に取り付けられるとともに、前記扉体に前記軸線よりも上方の位置で支持され、前記扉体が閉鎖される際に、前記傾斜面に沿って前記スライドロック部材とともに押し上げられるとともに、当該スライドロック部材が前記突出部に当接した後に、前記扉体が閉鎖側に回動することによって、前記軸線を中心として前記突出部の後ろ側に上方から回り込むように回動することにより、当該突出部に係止される回動ロック部材と、
を有していることを特徴とする請求項１に記載の扉ロック装置。
【請求項３】
前記係止部材は、上下方向に互いに間隔を隔てて設けられた複数の係止部材で構成され、
前記回動ロック部材は、前記複数の係止部材に対応し、前記スライドロック部材に上下方向に互いに間隔を隔てて設けられた複数の回動ロック部材で構成されていることを特徴とする請求項２に記載の扉ロック装置。
【請求項４】
前記ロック解除手段は、
鍵穴を有し、前記扉体に設けられたシリンダ錠と、
このシリンダ錠と前記ロック機構係止部材との間に設けられ、前記鍵穴がキーで回されるのに連動して、当該ロック機構係止部材を前記第２ロック解除位置に移動させるロック解除部材と、
を有していることを特徴とする請求項１ないし３のいずれかに記載の扉ロック装置。
【請求項５】
前記ロック解除手段は、
前記扉体のロックを解除するためのロック解除信号を送信する送信機と、
前記扉体および前記機器本体の一方に設けられ、前記ロック解除信号を受信する受信機と、
前記扉体の内側に設けられ、前記受信機が前記ロック解除信号を受信したときに、前記ロック機構係止部材を前記第２ロック解除位置に駆動するアクチュエータと、
を有していることを特徴とする請求項１ないし３のいずれかに記載の扉ロック装置。
【請求項６】
前記機器本体は、自動販売機の販売機本体であり、
前記扉体は、当該自動販売機のメインドアであることを特徴とする、請求項１ないし５のいずれかの扉ロック装置を用いた自動販売機。
【発明の詳細な説明】
【０００１】
【発明の属する技術分野】
本発明は、例えば、自動販売機や両替機などの正面のメインドアに適用される扉ロック装置およびこれを用いた自動販売機に関する。
【０００２】
【従来の技術】
一般に、缶飲料やたばこなどを販売する自動販売機は、前面が開口し且つ商品を収納するボックス状の販売機本体と、その前面を開閉するメインドアなどで構成されている。メインドアは、商品見本、商品選択ボタン、金銭投入口および商品取出口などを有し、背面側には、販売時に投入された金銭を保管する金庫が設けられている。このようなメインドアは、販売機本体の左側部の前端部に、上下方向に延びる軸線を中心に回動自在に取り付けられている。そして、このメインドアは、常時は、扉ロック装置により、閉鎖された状態でロックされ、商品補充時やメンテナンス時などに、ロックが解除され、開放される。
【０００３】
このような自動販売機の扉ロック装置として、例えば特開２０００−１９４９１６号公報に記載されたものが知られている。この扉ロック装置は、メインドアの自由端部である右端部に、上下方向に延び且つスライド自在に設けられた金属製のロックロッドと、これに対応する販売機本体の右側部の前端部に設けられ、メインドアが閉鎖する際に、ロックロッドが係合する上下２つの金属製のロックプレートと、メインドアの右端部に設けられ、ロック解除の際に、ロックロッドを上方へスライドさせるためのハンドルレバーとを有している。
【０００４】
ロックロッドの上下２カ所にはそれぞれ、上下のロックプレートにそれぞれ係合可能な開口が形成されている。また、各ロックプレートは、販売機本体の前面よりも前方に若干突出するように、販売機本体に取り付けられており、各ロックプレートの前部には、斜め後ろ上がりに延びる傾斜面が形成されるとともに、この傾斜面の後端に連なり、下方に所定長さ延びる係止溝が形成されている。また、ハンドルレバーは、メインドアの前面に対して出没自在に構成されるとともに、前方に突出した状態で、前後方向に延びる軸線を中心に回動自在に構成されており、その回動中心部には、前面に鍵穴を有するシリンダ錠が内蔵されている。
【０００５】
このような扉ロック装置を有する自動販売機では、メインドアのロックおよびその解除が次のようにして行われる。まず、メインドアをロックする場合には、開放したメインドアを販売機本体側に回動させながら閉鎖する。この場合、メインドア側のロックロッドでは、まず、上下の各開口にロックプレートの前端部が若干入り込み、ロックロッドの開口の上縁部がロックプレートの傾斜面に当接する。メインドアを閉鎖するよう更に回動させると、ロックロッドの開口の上縁部がロックプレートの傾斜面に沿って、斜め上後方に案内され、これにより、ロックロッドが上方にスライドする。そして、ロックロッドの開口がロックプレートの傾斜面の後端を越えたとき、すなわちロックロッドの開口がロックプレートの係止溝に到達したときに、ロックロッドは、自重により若干落下し、開口を介して、２つのロックプレートの係止溝にそれぞれ係止される。これにより、メインドアは、いずれも金属製のロックロッドおよび２つのロックプレートにより、閉鎖状態でしっかりとロックされる。
【０００６】
一方、閉鎖状態のメインドアのロックを解除する場合には、まず、シリンダ錠の鍵穴に所定のキーを差し込んで回し、ハンドルレバーを前方に突出させる。次いで、このハンドルレバーを握り、所定角度まで回動させると、これに連動して、ロックロッドが所定高さまで持ち上げられる。これにより、ロックプレートによるロックロッドの係止が解除されることによって、メインドアのロックが解除される。そして、この状態を保ったまま、ハンドルレバーを手前に引くことによって、メインドアが開放される。
【０００７】
【発明が解決しようとする課題】
上記のような扉ロック装置では、ロック解除の際に、ある程度の重量を有する比較的重いロックロッドを持ち上げる必要があるため、一般的なキーの回転操作に比べて、大きなトルクを発生しやすいハンドルレバーを採用している。しかし、このハンドルレバーは、メインドアの前面に露出した状態で設けられているため、ハンドルレバーへのいたずらを誘発するおそれがあり、さらには、ハンドルレバーが壊されることにより、メインドアがこじ開けられ、金庫内の金銭が盗難にあうおそれもある。
【０００８】
本発明は、以上のような課題を解決するためになされたものであり、強固なロックを維持しながら、従来のハンドルレバーを省略できるとともに、ロックおよびその解除の際の操作性を向上させることができる扉ロック装置およびこれを用いた自動販売機を提供することを目的とする。
【０００９】
【課題を解決するための手段】
本発明の請求項１に係る扉ロック装置は、前面に開口を有する機器本体の左右の側部の一方の前端部に、上下方向に延びる軸線を中心に回動自在に取り付けられた扉体を、開口を閉鎖した状態でロックするための扉ロック装置であって、機器本体の左右の側部の他方の前端部に設けられた係止部材と、扉体の自由端部に、第１ロック位置とこの第１ロック位置よりも下方の第１ロック解除位置との間で上下方向に移動自在に設けられ、扉体が閉鎖される際に、係止部材に当接したときの係止部材からの反力によって第１ロック位置に押し上げられることにより、係止部材に係止され、下方への移動が許容されたときに、自重によって第１ロック解除位置に下降することにより、係止部材による係止が解除されるロック機構と、このロック機構の付近に、ロック機構を係止する第２ロック位置と、係止を解除するとともにロック機構の第１ロック解除位置への下降を許容する第２ロック解除位置との間で移動自在に設けられ、ロック機構が第１ロック位置に位置するときに、第２ロック位置への移動が許容されるロック機構係止部材と、このロック機構係止部材を第２ロック位置側に付勢する付勢手段と、ロック機構係止部材を第２ロック解除位置に移動させるためのロック解除手段と、を備えていることを特徴とする。
【００１０】
この構成によれば、扉体の閉鎖の際、すなわち、開放状態の扉体を、機器本体側に回動させながら閉鎖すると、扉体側のロック機構が、機器本体側の係止部材に当接し、その反力によって第１ロック位置に押し上げられることにより係止部材に係止される。またこれとともに、ロック機構係止部材は、第２ロック位置への移動が許容され、付勢手段により、第２ロック位置に付勢されることにより、第１ロック位置のロック機構を係止する。つまり、ロック機構係止部材によって、ロック機構を第１ロック位置に不動に保持することにより、機器本体側の係止部材による扉体側のロック機構の係止が保たれ、その結果、扉体が閉鎖した状態でロックされる。このように、扉体を閉鎖した状態でロックする場合には、扉体を機器本体側に回動させながら閉鎖するだけで、その扉体を簡単かつ強固にロックすることができる。
【００１１】
一方、閉鎖状態の扉体のロックを解除する場合には、ロック解除手段により、ロック機構係止部材を第２ロック解除位置まで移動させる。これにより、第１ロック位置に位置するロック機構は、下方への移動が許容される。そして、このロック機構は、自重によって落下しながら第１ロック解除位置まで下降し、これにより、係止部材による係止が解除される。このように、閉鎖した状態でロックされた扉体のロックを解除する場合には、ロック機構係止部材を第２ロック解除位置に移動させるだけで、その扉体のロックを簡単に解除することができる。
【００１２】
前述したように、上記構成の扉ロック装置によれば、閉鎖状態の扉体のロックを解除する場合には、ロック機構係止部材を第２ロック解除位置まで移動させるだけで、ロック機構が自動的に下降し、ロックが解除されるので、従来のようなハンドルレバーを省略することができるとともに、扉体のロックおよびその解除の際の操作性を向上させることができる。
【００１３】
本発明の請求項２に係る発明は、請求項１の扉ロック装置において、係止部材は、その前端部から上方に突出する突出部を有し、突出部の上面には、後ろ上がりに延びる傾斜面が形成されており、ロック機構は、第１ロック位置と第１ロック解除位置との間で上下方向にスライド自在に構成され、第１ロック位置において、第２ロック位置に移動したロック機構係止部材によって係止されるとともに、ロック機構係止部材が第２ロック解除位置に移動したときに自重によって第１ロック解除位置に下降するスライドロック部材と、このスライドロック部材よりも後方に突出した状態で、スライドロック部材に左右方向に延びる軸線を中心に回動自在に取り付けられるとともに、扉体に軸線よりも上方の位置で支持され、扉体が閉鎖される際に、傾斜面に沿ってスライドロック部材とともに押し上げられるとともに、スライドロック部材が突出部に当接した後に、扉体が閉鎖側に回動することによって、軸線を中心として突出部の後ろ側に上方から回り込むように回動することにより、突出部に係止される回動ロック部材と、を有していることを特徴とする。
【００１４】
この構成によれば、扉体の閉鎖の際に、回動ロック部材が、係止部材の突出部の傾斜面に当接し、その反力によって、スライドロック部材とともに押し上げられる。そして、スライドロック部材が係止部材の突出部に当接した後に、扉体をさらに閉鎖側に回動させると、回動ロック部材が、軸線を中心として突出部の後ろ側に上方から回り込むように回動する。これにより、回動ロック部材が突出部に係止される。この場合、スライドロック部材は、第１ロック位置に到達し、ロック機構係止部材が第２ロック位置に移動することにより、第１ロック位置で不動に保持される。この状態から、ロック機構係止部材が第２ロック解除位置に移動すると、スライドロック部材は、自重によって落下しながら第１ロック解除位置に下降する。これに伴い、係止部材の突出部に係止されていた回動ロック部材は、上記と反対方向に回動し、これにより、突出部による係止が解除される。したがって、上記構成により、ロック機構が上昇したときに係止部材に係止され、かつ、下降したときにその係止が解除される扉ロック装置を、簡単な構造で容易に実現することができる。
【００１５】
本発明の請求項３に係る発明は、請求項２の扉ロック装置において、係止部材は、上下方向に互いに間隔を隔てて設けられた複数の係止部材で構成され、回動ロック部材は、複数の係止部材に対応し、スライドロック部材に上下方向に互いに間隔を隔てて設けられた複数の回動ロック部材で構成されていることを特徴とする。
【００１６】
この構成によれば、係止部材が上下方向に互いに間隔を隔てて設けられた複数の係止部材で構成される一方、これに対応して、スライドロック部材に設けられた回動ロック部材が、複数の回動ロック部材で構成されているので、扉体を複数個所で機器本体に係止することができ、その結果、扉体を閉鎖状態でより一層強固にロックすることができる。
【００１７】
本発明の請求項４に係る発明は、請求項１ないし３のいずれかの扉ロック装置において、ロック解除手段は、鍵穴を有し、扉体に設けられたシリンダ錠と、このシリンダ錠とロック機構係止部材との間に設けられ、鍵穴がキーで回されるのに連動して、ロック機構係止部材を第２ロック解除位置に移動させるロック解除部材と、を有していることを特徴とする。
【００１８】
この構成によれば、シリンダ錠の鍵穴がキーで回されるのに連動して、ロック解除部材により、ロック係止部材が第２ロック解除位置に移動される。そうすると、ロック機構は、自重によって落下しながら第１ロック解除位置に下降し、これにより、係止部材による係止が解除されることによって、扉体のロックが解除される。このように、鍵穴に挿入したキーを回すだけで、扉体のロックを簡単に解除することができる。
【００１９】
本発明の請求項５に係る発明は、請求項１ないし３のいずれかの扉ロック装置において、ロック解除手段は、扉体のロックを解除するためのロック解除信号を送信する送信機と、扉体および機器本体の一方に設けられ、ロック解除信号を受信する受信機と、扉体の内側に設けられ、受信機がロック解除信号を受信したときに、ロック機構係止部材を第２ロック解除位置に駆動するアクチュエータと、を有していることを特徴とする。
【００２０】
この構成によれば、送信機によってロック解除信号を送信し、これを受信機が受信したときに、扉体の内側に設けられたアクチュエータが、ロック機構係止部材を第２ロック解除位置に駆動する。そうすると、ロック機構は、自重によって落下しながら第１ロック解除位置に下降し、これにより、係止部材による係止が解除されることによって、扉体のロックが解除される。このように、アクチュエータを遠隔操作することによって、扉体のロックを解除できるので、いたずらを誘発しやすい鍵穴などを省略でき、その結果、防盗性を高めることができる。
【００２１】
本発明の請求項６に係る発明は、請求項１ないし５のいずれかの扉ロック装置を用いた自動販売機において、機器本体は、自動販売機の販売機本体であり、扉体は、自動販売機のメインドアであることを特徴とする。
【００２２】
この構成によれば、従来のようなハンドルレバーを省略することができるとともに、扉体のロックおよびその解除の際の操作性が良好な自動販売機を得ることができる。
【００２３】
【発明の実施の形態】
以下、図面を参照しながら、本発明の好ましい実施形態を詳細に説明する。図１は、本発明の一実施形態による扉ロック装置を適用した自動販売機を示している。同図に示すように、この自動販売機１は、缶飲料などを販売可能なものであり、販売機本体２（機器本体）と、その前面を開閉するメインドア３（扉体）とを備えている。
【００２４】
販売機本体２は、前面が開口した縦長ボックス状に形成されており、内部には、多数の商品が収納されるとともに、それらの商品を冷却および／または加温するための冷却・加温装置（図示せず）が設けられている。また、販売機本体２の右側部の前端部には、上下方向に互いに所定間隔を隔てて配置された上下一対の金属製のロック用フック１２、１２（係止部材）が取り付けられている。
【００２５】
一方、メインドア３は、正面形状が縦長矩形状に形成されており、前面には、多種の商品見本４、各商品ごとの商品選択ボタン５、硬貨投入口６ａや紙幣投入口６ｂ、硬貨返却レバー６ｃなどを有する接客部６、および商品取出口７を有している。また、メインドア３は、販売機本体２の左側部の前端部に、上下一対のヒンジ８、８を介して、上下方向に延びる軸線を中心に回動自在に取り付けられており、商品補充時やメンテナンス時などに開閉される。そして、このメインドア３は、常時は、扉ロック装置１１により、閉鎖した状態でロックされる。
【００２６】
図１および図２に示すように、扉ロック装置１１は、販売機本体２の右側前端部に取り付けられた上記一対のロック用フック１２、１２と、メインドア３の自由端部である右端部に、ロック位置（第１ロック位置、図７（ｆ）に示す位置）と、これよりも下方のロック解除位置（第１ロック解除位置、図７（ａ）、（ｄ）に示す位置）との間で上下方向に移動自在に組み付けられ、ロック用フック１２、１２に係止されるロック機構１３と、このロック機構１３を係止するための閂機構１４と、を有している。
【００２７】
各ロック用フック１２は、所定形状の金属板を折り曲げ加工などすることにより形成したものである。このロック用フック１２は、図１、２、３および５に示すように、ロック用フック１２自身を販売機本体２にねじ止めして取り付けるための取付部２１と、この取付部２１の前端下半部から斜め前方に若干延び、かつ、その前端で屈曲して前方に所定長さ延び、その前端部が上方に突出するように形成されたフック部２２とで構成されている。フック部２２の前端部の上方に凸の突出部２３は、その上面が、図５（ａ）に示すように、後ろ上がり（同図では右上がり）に所定長さ延びる前傾斜面２３ａと、この前傾斜面２３ａの後端から連なり、後ろ下がりに所定長さ延びる後傾斜面２３ｂとにより、前後方向のほぼ中央部が最も高い山型に形成されている。
【００２８】
ロック機構１３は、上下方向に所定長さ延びるとともに、上記ロック位置とロック解除位置との間で上下方向にスライド自在のスライドロッド３１（スライドロック部材）と、上記上下一対のロック用フック１２、１２に対応し、スライドロッド３１の上端部および下端部にそれぞれ、左右方向に延びる軸線を中心に回動自在に設けられた上下一対のロック金具３２、３２（回動ロック部材）とを有している。そして、このロック機構１３は、メインドア３の上下のロック金具３２、３２の付近にそれぞれ固定された所定形状の支持プレート３３、３３により、可動に支持されている。
【００２９】
スライドロッド３１は、所定形状の金属板を折り曲げ加工などすることにより形成したものであり、図５（ｂ）、（ｃ）に示すように、横断面がほぼ「コ」字状に形成されている。また、スライドロッド３１の上下のロック金具３２、３２が設けられた部分にはそれぞれ、前後方向（図５では左右方向）に貫通した開口３１ａを有し、左右の側壁（図５（ａ）では表裏壁）が互いに対称に所定形状に形成されている。具体的には、図５（ａ）に示すように、開口３１ａの上部付近に位置し、前方に凹みかつ縦長に形成された縦長凹部３１ｂと、この縦長凹部３１ｂの下端に連なり、後ろ下がりに若干延びかつその後端から前下がりに若干延びるように、側面形状が三角形で後方に凸に形成された三角凸部３１ｃと、を有している。また、スライドロッド３１の上下方向の中央部付近には、図６に示すように、閂機構１４の後述する閂プレート４１が挿脱可能な閂開口３１ｅが形成されている。そして、このように構成されたスライドロッド３１の上下の開口３１ａ、３１ａ付近にそれぞれ、ロック金具３２が回動自在に取り付けられている。
【００３０】
各ロック金具３２は、図５に示すように、その前後方向の後半部、すなわちロック用フック１２側の半部がスライドロッド３１の開口３１ａから後方に突出した状態で、回動自在に取り付けられている。このロック金具３２は、所定形状の金属板を折り曲げ加工などすることにより形成したものであり、図５（ａ）に示すように、側面形状が横「Ｌ」字状に形成されるとともに、同図（ｂ）に示すように、横断面がほぼ「コ」字状に形成されている。また、ロック金具３２の左右の側壁にはそれぞれ、互いに対向し上下方向に延びる長孔３２ａ、３２ａが形成されている。これらの長孔３２ａ、３２ａには、両端部が上記支持プレート３３に固定され、かつ、スライドロッド３１の上記縦長凹部３１ｂ、３１ｂに係脱可能な固定シャフト３４が遊挿されている。さらに、ロック金具３２は、その固定シャフト３４の下方でかつ若干前方寄り（図５では左方寄り）の位置で、両端部が支持プレート３３の後述する左右のガイド孔３３ａに遊挿された可動シャフト３５に回動自在に支持されている。そして、この可動シャフト３５は、上記スライドロッド３１の左右の貫通孔３１ｄ、３１ｄに挿入されている。したがって、ロック金具３２は、スライドロッド３１に対し、可動シャフト３５を中心として、図５に示す水平姿勢と、この水平姿勢から時計方向に所定角度回動した傾斜姿勢（図７（ｆ）に示す姿勢）との間で回動できるようになっている。なお、ロック金具３２のロック用フック１２側の先端下部は、上方に折り返された折返し部３２ｂを有している。
【００３１】
上述したように、ロック機構１３は、上下２つの支持プレート３３、３３によって支持されており、各支持プレート３３は、図５（ｂ）、（ｃ）に示すように、平面形状がほぼ「コ」字状に形成されている。また、各支持プレート３３の左右の側壁にはそれぞれ、上記可動シャフト３５の両端部を支持するとともに、可動シャフト３５を案内するガイド孔３３ａ、３３ａが形成されている。これらのガイド孔３３ａ、３３ａは、互いに対向して対称に形成されており、上下方向に所定長さ延びる縦孔部３３ｂと、この縦孔部３３ｂの下端部から連なり、前上がりに若干湾曲しながら所定長さ延びる斜め孔部３３ｃとにより、ほぼ「レ」字状に形成されている。
【００３２】
図１および図２に示すように、閂機構１４は、メインドア３の上下方向のほぼ中央部に設けられている。この閂機構１４は、図４および図６に示すように、スライドロッド３１の閂開口３１ｅに挿入することにより、ロック機構１３を係止する閂ロック位置（第２ロック位置、図６（ａ）、（ｂ）に示す位置）と、その係止を解除する閂ロック解除位置（第２ロック解除位置、同図（ｃ）、（ｄ）に示す位置）との間で左右方向にスライド自在の閂プレート４１（ロック機構係止部材）と、この閂プレート４１を閂ロック位置側に付勢するばね４２（付勢手段）と、取付金具４３を介して取り付けられ、メインドア３の前面と面一の鍵穴４４ａを有するシリンダ錠４４と、このシリンダ錠４４の解錠に連動し、所定角度回転する回転軸４５と、この回転軸４５に固定され、閂プレート４１を閂ロック解除位置にスライドさせるためのロック解除プレート４６（ロック解除部材）とを有している。
【００３３】
閂プレート４１は、所定形状の金属板を折り曲げ加工などすることにより形成したものである。図４および図６に示すように、閂プレート４１は、左右方向に延び、その左右方向のスライドロッド３１側の約１／３部分を構成し、かつ、スライドロッド３１の閂開口３１ｅに挿脱可能な挿脱部４１ａを有している。また、閂プレート４１の挿脱部４１ａよりも右方の部分は、上端部および下端部が後方に直角に屈曲されるとともに、中央部分も後方に切り起こされている。そして、この切起し部４１ｂに、ばね４２の一端部が取り付けられている。なお、このばね４２の他端部は、閂プレート４１の挿脱部４１ａが常時挿入され、これを案内するためのガイドプレート４７に取り付けられている。
【００３４】
シリンダ錠４４は、鍵穴４４ａに所定のキーが挿入され、回されることにより解錠するようになっており、その解錠に連動し、回転軸４５を介して、ロック解除プレート４６が所定角度回動する。このロック解除プレート４６は、上端部が回転軸４５に固定されるとともに、下端部には、閂プレート４１の切起し部４１ｂに係合する係合ピン４６ａが突設されている。
【００３５】
次に、図５〜図７を参照しながら、扉ロック装置１１によるメインドア３のロックおよびその解除について説明する。なお、メインドア３が開放され、扉ロック装置１１がロック解除の状態であるときには、図５に示すように、スライドロッド３１はロック解除位置に位置する一方、各ロック金具３２は水平姿勢となっている。またこの場合、閂機構１４の閂プレート４１は、図６（ｃ）、（ｄ）に示すように、閂ロック解除位置に位置する一方、ロック解除プレート４６は、同図（ｃ）の２点鎖線で示す位置に位置している。
【００３６】
まず、メインドア３をロックする場合には、開放したメインドア３を販売機本体２側に回動させながら閉鎖する。この場合まず、図７（ａ）に示すように、各ロック金具３２の折返し部３２ｂの下端が、ロック用フック１２の突出部２３の前傾斜面２３ａに当接する。そして、メインドア３をさらに回動させると、ロック金具３２は、前傾斜面２３ａからの反力により、これに沿って上方に移動し、これと一緒に、スライドロッド３１も上方にスライドする。この場合、可動シャフト３５は、ガイド孔３３ａの縦孔部３３ｂに沿って上方に移動する。ロック金具３２の折返し部３２ｂが、図７（ｂ）に示すように、前傾斜面２３ａの後端に到達し、さらに同図（ｃ）に示すように、後傾斜面２３ｂに到達すると、すなわち、折返し部３２ｂが突出部２３の頂部を乗り越えると、上昇していたロック金具３２およびスライドロッド３１が下降し、元の高さに戻る。
【００３７】
そして、スライドロッド３１がロック用フック１２の前端に当接した後（図７（ｄ））も、さらにメインドア３を販売機本体２側に回動させると、支持プレート３３に固定された固定シャフト３４は、スライドロッド３１の縦長凹部３１ｂから離脱し、ロック用フック１２側に移動する。そうすると、同図（ｅ）に示すように、ロック金具３２が可動シャフト３５を中心に時計方向に回動し始め、その可動シャフト３５がガイド孔３３ａの斜め孔部３３ｃに沿って上方に移動する。そして、図７（ｆ）に示すように、ロック金具３２の折返し部３２ｂが、ロック用フック１２の突出部２３の後ろ側に上方から回り込むように回動し、これにより、ロック金具３２がロック用フック１２の突出部２３に係止される。またこの場合、可動シャフト３５がガイド孔３３ａの斜め孔部３３ｃの先端付近に到達することにより、スライドロッド３１はロック位置に到達する。
【００３８】
このようにして、スライドロッド３１がロック位置に到達すると、図６（ａ）、（ｂ）に示すように、スライドロッド３１の閂開口３１ｅが閂プレート４１の挿脱部４１ａに合致する。そうすると、閂プレート４１は、ばね４２の付勢力により、閂ロック位置にスライドし、挿脱部４１ａが閂開口３１ｅに挿入する。これにより、スライドロッド３１は、ロック位置で不動に保持されるとともに、各ロック金具３２は、ロック用フック１２に係止された状態に保持される。
【００３９】
以上により、メインドア３は、扉ロック装置１１により、上下２個所で閉鎖した状態でロックされる。このように、扉ロック装置１１によれば、開放された状態のメインドア３を、販売機本体２側に回動させながら閉鎖するだけで、メインドア３を簡単かつ強固にロックすることができる。
【００４０】
次に、上記のように扉ロック装置１１によりロックされたメインドア３のロック解除について説明する。まず、メインドア３の前面の鍵穴４４ａに所定のキーを挿入し、所定方向に回す。そうすると、図６に示すように、ロック解除プレート４６が回転軸４５を中心に反時計方向に所定角度回動し、このロック解除プレート４６の係合ピン４６により、閂ロック位置の閂プレート４１がばね４２に抗して、右方に押圧される。これにより、同図（ｃ）、（ｄ）に示すように、閂プレート４１は、閂ロック解除位置にスライドし、その挿脱部４１ａがスライドロッド３１の閂開口３１ｅから引き抜かれる。そして、これと同時に、ロック位置のスライドロッド３１は、自重により落下し、ロック解除位置まで下降する。
【００４１】
この場合、図７（ｆ）に示す傾斜姿勢のロック金具３２は、スライドロッド３１の下降とともに、同図（ｄ）に示す水平姿勢となる。そして、この状態から、メインドア３を開放するよう若干回動させると、同図（ｃ）に示すように、ロック金具３２の折返し部３２ｂの下端がロック用フック１２の突出部２３の後傾斜面２３ｂに当接する。これらの同図（ｄ）および（ｃ）のような状態は、完全なロックと完全なロック解除の間のいわゆる半ロック状態であり、この半ロック状態において、メインドア３に若干力を加えてさらに回動させると、図７（ｂ）、（ａ）および図５（ａ）に示す順に、ロック金具３２の折返し部３２ｂが突出部２３の頂部を乗り越え、扉ロック装置１１によるメインドア３のロックが完全に解除される。
【００４２】
以上詳述したように、本実施形態によれば、開放状態のメインドア３を販売機本体２側に回動させながら閉鎖するだけで、そのメインドア３を簡単にロックすることができ、しかも、上下２個所でしっかりとロックするので、従来と同様の強固なロックを維持することができる。また、閉鎖状態でロックされたメインドア３のロックを解除する場合には、鍵穴４４ａに挿入したキーを回すだけで、そのロックを簡単に解除することができる。したがって、従来のようなハンドルレバーを省略することができるとともに、メインドア３のロックおよびその解除の際の操作性を向上させることができる。
【００４３】
次に、本発明の第２実施形態として、遠隔操作により、メインドア３のロック解除が可能な扉ロック装置について説明する。なお、この第２実施形態では、図面を省略しかつ上記第１実施形態と異なる構成部分のみを説明し、それ以外の構成部分は、第１実施形態と同様である。
【００４４】
本実施形態では、上記第１実施形態の閂機構１４において、シリンダ錠４４、回転軸４５およびロック解除プレート４６に代えて、例えばソレノイドなどで構成されたアクチュエータを用い、そのアクチュエータで閂プレート４１を駆動する。より具体的には、例えば、メインドア３または販売機本体２に、アンテナや受信部を有する受信機を設置し、この受信機が自動販売機１の外部から、メインドア３のロックを解除するための所定の信号（ロック解除信号）を受信したときに、閂プレート４１をばね４２に抗して閂ロック解除位置にスライドさせるように、アクチュエータを構成する。
【００４５】
このようなアクチュエータを有する扉ロック装置によってメインドア３がロックされた自動販売機１において、オペレータが所定の送信機で、ロック解除信号を送信し、これを受信機が受信すると、アクチュエータが作動し、閂プレート４１を閂ロック解除位置にスライドさせる。そうすると、図７（ｆ）に示すロック位置のスライドロッド３１は、同図（ｄ）に示すロック解除位置に下降するとともに、傾斜姿勢のロック金具３２が水平姿勢となる。この場合、ロック金具３２の折返し部３２ｂが、ロック用フック１２の突出部２３の後傾斜面２３ｂ側に位置しているため、メインドア３は半ロック状態となる。つまり、遠隔操作によりメインドア３のロックを解除しても、そのロックが直ぐには完全に解除されないため、メインドア３が販売機本体２の前方に直ちに大きく回動してしまうことはない。
【００４６】
この第２実施形態によれば、上記第１実施形態と同様の効果を得ることができることに加えて、第１実施形態と異なり、いたずらを誘発しやすい鍵穴を省略することができるので、自動販売機１の外部からは、扉ロック装置を全く見えないようにすることができるとともに、防盗性を高めることができる。
【００４７】
なお、本発明は、説明した上記実施形態に限定されることなく、種々の態様で実施することができる。例えば、実施形態では、本発明の扉ロック装置１１を自動販売機に適用した場合について説明したが、本発明はこれに限定されるものではなく、例えば両替機など、扉を有する種々の機器などに適用することができる。また、実施形態では、ロック用フック１２およびロック金具３２をそれぞれ２つずつ使用し、メインドア３を上下２個所でロックするようにしたが、ロック用フック１２およびロック金具３２をそれぞれ３つ以上使用することも可能である。その場合には、メインドア３を閉鎖状態でより一層強固にロックすることができる。また、実施形態で示した扉ロック装置１１の細部の構成などは、あくまで例示であり、本発明の趣旨の範囲内で適宜、変更することができる。
【００４８】
【発明の効果】
以上詳述したように、本発明の扉ロック装置およびこれを用いた自動販売機は、強固なロックを維持しながら、従来のハンドルレバーを省略できるとともに、ロックおよびその解除の際の操作性を向上させることができるなどの効果を有する。
【図面の簡単な説明】
【図１】本発明の一実施形態による扉ロック装置を適用した自動販売機を示し、（ａ）はその正面図、（ｂ）はロック用フックの周囲を破断して示す自動販売機の右側面図である。
【図２】扉ロック装置をメインドアの背面側から示す斜視図である。
【図３】図２の一点鎖線円で囲んだ扉ロック装置のロック用フックおよびこれに係止された状態のロック金具を拡大して示す斜視図である。
【図４】図２の一点鎖線円で囲んだ扉ロック装置の閂機構を拡大して示す斜視図である。
【図５】（ａ）は扉ロック装置のロック用フックおよびロック金具を示す側面図であり、（ｂ）は（ａ）のＢ−Ｂ線で切断した断面図、（ｃ）は（ａ）のＣ−Ｃ線で切断した断面図である。
【図６】（ａ）は、スライドロッドを係止した状態の閂機構の周囲をメインドアの背面側から示す図であり、（ｂ）は、（ａ）のＢ−Ｂ線で切断した断面図、（ｃ）は、（ａ）と同様の部分を示し、スライドロッドの係止を解除した状態を示す図、（ｄ）は、（ｃ）のＤ−Ｄ線で切断した断面図である。
【図７】扉ロック装置のロック動作を順に示す説明図である。
【符号の説明】
１　　　自動販売機
２　　　販売機本体（機器本体）
３　　　メインドア（扉体）
１１　　扉ロック装置
１２　　ロック用フック（係止部材）
１３　　ロック機構
１４　　閂機構
２３　　突出部
２３ａ　前傾斜面
３１　　スライドロッド（スライドロック部材）
３２　　ロック金具（回動ロック部材）
３３　　支持プレート
３４　　固定シャフト
３５　　可動シャフト
４１　　閂プレート（ロック機構係止部材）
４２　　ばね（付勢手段）
４４　　シリンダ錠
４４ａ　鍵穴
４６　　ロック解除プレート（ロック解除部材）
【図１】
2004068429.tif 000003
【図２】
2004068429.tif 000004
【図３】
2004068429.tif 000005
【図４】
2004068429.tif 000006
【図５】
2004068429.tif 000007
【図６】
2004068429.tif 000008
【図７】
2004068429.tif 000009